(57)【要約】      （修正有）【課題】使用者の体を、より高い安全性を以って無理なく支えることができる歩行補助具の提供。【解決手段】上下方向に延長している支柱１０と、その上端部に取り付けられている脇当て部と、上記支柱の延長途上部に取り付けられている握り部３０とを有し、上記支柱が伸縮自在に延長し、上記脇当て部が、脇当て部本体２１を有するとともに、上記支柱の上端部の周りに、上下方向には可動し得ないが上記支柱の上端部の周りに回動自在に取り付けられ、上記握り部が、握り部本体３１を有するとともに、上記支柱の上下方向の延長途上部の周りに、上下方向に可動自在に且つ上記支柱の上下方向の延長途上部の周りに回動自在に取り付けられている。【選択図】図１
0003116653.tif 000002
【実用新案登録請求の範囲】
【請求項１】
上下方向に延長している支柱と、該支柱の上端部に取り付けられている脇当て部と、上記支柱の上下方向の延長途上部に取り付けられている握り部とを有する歩行補助具において、
上記支柱が、上下方向に直線状に伸縮自在に延長し、
上記脇当て部が、左右方向に延長している棒状の脇当て部本体を有するとともに、上記支柱の上端部の周りに、上記脇当て部本体とともに、上下方向には可動し得ないが上記支柱の上端部の周りに回動自在に取り付けられ、
上記握り部が、左右方向に延長している棒状の握り部本体を有するとともに、上記支柱の上下方向の延長途上部の周りに、上記握り部本体とともに、上下方向に可動自在に且つ上記支柱の上下方向の延長途上部の周りに回動自在に、上記握り部本体が上記支柱の上下方向の延長途上部から歩行補助具の側面からみて上記脇当て部の脇当て部本体と上記支柱の下遊端とを結ぶ線から歩行補助具の使用時における使用者の胴体側とは反対側の外側に大きく離れて位置するように、取り付けられていることを特徴とする歩行補助具。
【請求項２】
請求項１記載の歩行補助具において、
上記支柱が、上下方向に直線状に延長している主管体と、該主管体内にその下方から上端部が緩挿されて該主管体と一体化されている上下方向に直線状に延長している副管体とを有し、
上記脇当て部が、上記脇当て部本体の外、上記支柱の上端部の周りに回動自在に取り付けられている脇当て部管体と、該脇当て部管体の外周面左部及び外周面右部からそれらにそれぞれ連結して左上方及び右上方にそれぞれ延長して上記脇当て部本体の左端及び右端までそれぞれ延長してそれらにそれぞれ連結している脇当て部左支杆及び脇当て部右支杆を有し、
上記握り部が、上記握り部本体の外、上記支柱の上下方向の延長途上部の周りに上下方向に可動自在に且つ上記支柱の上下方向の延長途上部の周りに回動自在に取り付けられている握り部取付具と、該握り部取付具の外面左部及び外面右部からそれらにそれぞれ連結して前左下方及び前右下方にそれぞれ延長して上記握り部本体の左端及び右端までそれぞれ延長してそれらにそれぞれ連結している握り部左支杆及び握り部右支杆とを有することを特徴とする歩行補助具。
【考案の詳細な説明】
【技術分野】
【０００１】
本考案は、上下方向に延長している支柱と、その支柱の上端部に取り付けられている脇当て部と、支柱の上下方向の延長途上部に取り付けられている握り部とを有する歩行補助具に関する。
【背景技術】
【０００２】
特許文献１に、側弓と、その側弓の上端部に取り付けられている脇当てと、側弓の延長途上に取り付けられている握りとを有する松葉杖が提案されている。ここで、松葉杖は上述した歩行補助具と称し得、また松葉杖が有する側弓、脇当て及び握りは上述した歩行補助具が有する支柱、脇当て部及び握り部とそれぞれ称し得、よって、特許文献１には、上下方向に延長している支柱と、その支柱の上端部に取り付けられている脇当て部と、支柱の上下方向の延長途上部に取り付けられている握り部とを有する構成の歩行補助具が提案されているということができる。
【０００３】
このような構成を有する特許文献１に提案されている歩行補助具によれば、その握り部を歩行補助具使用者（以下、単に使用者と称す）の手で握り、且つ脇当て部を使用者の脇下に当てることによって、使用者の体を、使用者の腕と脇との双方で支えることができ、このため、腕力の弱い使用者でもその使用者の体を支えることができ、また使用者の脇下に下方から無理な締付け力を加えることなしに使用者の体を支えることができ、よって、広く用いられている。
【０００４】
また、特許文献１には、上述した構成を有する歩行補助具において、その支柱の上下方向の延長途上部に、歩行補助具の側面からみて脇当て部の実際に脇下に当てる部と支柱の下遊端とを結ぶ線から歩行補助具の使用時における使用者の胴体側とは反対側の外側に膨出している膨出部を設け、その膨出部に、握り部の実際に手で握られる部を、それが歩行補助具の側面からみて脇当て部の実際に脇下に当てる部と支柱の下端とを結ぶ線から歩行補助具の使用時における使用者の胴体側とは反対側の外側に離れて位置するように、左右方向に延長して取り付けている構成が示されている。
【０００５】
このような、支柱に膨出部を設け、その膨出部に握り部を取り付けている構成を有する特許文献１に提案されている歩行補助具によれば、歩行補助具の使用時において、使用者が、握り部の実際に手で握られる部を手で手首や肘を不自然に内側（使用者の胴体側）に大きく曲げることなしに且つ支柱の下先端を使用者の足元から大きく離して位置させることなしに握ることができるので、使用者の体を、比較的安全に支えることができる。
【特許文献１】特開２０００−１２６２５３号公報
【考案の開示】
【考案が解決しようとする課題】
【０００６】
特許文献１に提案されている歩行補助具の場合、その使用時、支柱の上端部に取り付けられている脇当て部の実際に脇下に当てる部を、使用者の脇下に当てて、使用者の体を支えることができるとしても、支柱の上下方向の長さを調整することができないとともに、脇当て部の実際に脇下に当てる部の支柱の上端部に対する支柱の上端部の周りの回動位置を調整することができないため、歩行補助具の使用時、使用者の脇下に、脇当て部の実際に脇下に当てる部を、使用者の自然に近い姿勢で、脇下に無理な締付け力を加えることなしに当てることができない、という欠点を有していた。
【０００７】
また、特許文献１に提案されている歩行補助具の場合、その使用時、支柱の延長途上の膨出部に左右方向に延長して取り付けられている握り部の実際に手で握られる部を手首や肘を不自然に曲げることなしに握ることができるとしても、握り部の実際に手で握られる部の支柱の延長途上に対する上下位置と回動位置とを調整することができないため、歩行補助具の使用時、使用者が、握り部の実際に手で握られる部を、手で手首や肘を不自然に曲げることなしに自然に下方に伸ばした状態でしっかり握ることができない、という欠点を有していた。
【０００８】
以上のことから、特許文献１に提案されている歩行補助具の場合、使用者の体を、支柱の下先端に滑りを生ぜしめたりすることなしに、より高い安全性を以って無理なく支えることができない、という欠点を有していた。
よって、本考案は上述した欠点のない、新規な歩行補助具を提案せんとするものである。
【課題を解決するための手段】
【０００９】
本考案による歩行補助具は、特許文献１に提案されている歩行補助具の場合と同様に、上下方向に延長している支柱と、その支柱の上端部に取り付けられている脇当て部と、支柱の上下方向の延長途上部に取り付けられている握り部とを有する。
【００１０】
しかしながら、本考案による歩行補助具は、そのような構成を有する歩行補助具において、支柱が上下方向に直線状に伸縮自在に延長している。
この場合、支柱が、直線状に上下方向に延長している主管体と、その主管体内にその下方から上端部が緩挿されて主管体と一体化されている上下方向に直線状に延長している副管体とを有する構成であるのを可とする。
【００１１】
また、脇当て部が、左右方向に延長している脇当て部本体を有するとともに、支柱の上端部にの周りに、脇当て部本体とともに、上下方向には可動し得ないが支柱の上端部の周りに回動自在に取り付けられている。
この場合、脇当て部が、脇当て部本体の外、支柱の上端部の周りに回動自在に取り付けられている脇当て部管体と、その脇当て部管体の外周面左部及び外周面右部からそれらにそれぞれ連結して左上方及び右上方にそれぞれ延長して脇当て部本体の左端及び右端までそれぞれ延長してそれらにそれぞれ連結している脇当て部左支杆及び脇当て部右支杆とを有する構成であるのを可とする。
【００１２】
さらに、握り部が、左右方向に延長している握り部本体を有するとともに、支柱の上下方向の延長途上部の周りに、握り部本体とともに、上下方向に可動自在に且つ支柱の上下方向の延長途上部の周りに回動自在に、握り部本体が支柱の上下方向の延長途上部から歩行補助具の側面からみて脇当て部の脇当て部本体と支柱の下遊端とを結ぶ線から歩行補助具の使用時における使用者の胴体側とは反対側の外側に大きく離れて位置するように取り付けられている。
この場合、握り部が、棒状の握り部本体の外、支柱の上下方向の延長途上部の周りに上下方向に可動自在に且つ支柱の上下方向の延長途上部の周りに回動自在に取り付けられている上下方向に延長している握り部取付具と、その握り部取付具の外面左部及び外面右部からそれらにそれぞれ連結して前左下方及び前右下方にそれぞれ延長して握り部本体の左端及び右端までそれぞれ延長してそれらにそれぞれ連結している握り部左支杆及び握り部右支杆とを有する構成であるのを可とする。
【考案の効果】
【００１３】
本考案による歩行補助具によれば、特許文献１に提案されている歩行補助具の場合と同様に、上下方向に延長している支柱と、その支柱の上端部に取り付けられている脇当て部と、支柱の上下方向の延長途上部に取り付けられている握り部とを有する構成を有するとともに、脇当て部及び握り部が脇当て部本体及び握り部本体をそれぞれ有するので、特許文献１に提案されている歩行補助具の場合に準じて、握り部の握り部本体を使用者の手で握り、且つ脇当て部の脇当て部本体を使用者の脇下に当てることによって、使用者の体を、使用者の腕と脇との双方で支えることができ、このため、腕力の弱い使用者でもその使用者の体を支えることができ、また使用者の脇下に下方から無理な締付け力を加えることなしに使用者の体を支えることができる。
【００１４】
また、本考案による歩行補助具によれば、支柱が上下方向に直線状に伸縮自在に延長している構成を有するとともに、脇当て部が、左右方向に延長している脇当て部本体を有するとともに、支柱の上端部の周りに、脇当て部本体とともに、上下方向には可動し得ないが支柱の上端部の周りに回動自在に取り付けられている構成を有するので、歩行補助具の使用前において、支柱の上下方向の長さを予め調整しておくことができ、また歩行補助具の使用時において、脇当て部の脇当て部本体の支柱の上端部に対する回動位置が脇下の向きに応じて自動的に調整されるので、歩行補助具の使用時、使用者の脇下に、脇当て部の脇当て部本体を、使用者の自然に近い姿勢で、脇下に無理な締付け力を加えることなしに当てることができる。
【００１５】
さらに、本考案による歩行補助具によれば、握り部が、左右方向に延長している握り部本体を有するとともに、支柱の上下方向の延長途上部の周りに、握り部本体とともに、上下方向に可動自在に且つ支柱の上下方向の延長途上部の周りに回動自在に、握り部本体が支柱の上下方向の延長途上部から歩行補助具の側面からみて脇当て部の脇当て部本体と支柱の下遊端とを結ぶ線から歩行補助具の使用時における使用者の胴体側とは反対側の外側に大きく離れて位置するように取り付けられている構成を有するので、歩行補助具の使用前において、握り部の握り部本体の、支柱の延長途上部に対する上下位置と回動位置とを予め調整し置くことができるとともに、特許文献１に提案されている歩行補助具の場合に準じて、歩行補助具の使用時において、使用者が、握り部の握り部本体を、手で手首を肘を不自然に内側（使用者の胴体側）に大きく曲げることなしに、支柱の下先端を使用者の足下から大きく離して位置させることなしに、しっかり握ることができるので、歩行補助具の使用時、使用者の身体を、特許文献１に提案されている歩行補助具の場合に比しより安全に支えることができる。
【００１６】
以上のことから、本考案による歩行補助具によれば、使用者の体を、支柱の下先端に滑りを生ぜしめたりすることなしに、特許文献１に提案されている歩行補助具の場合に比しより高い安全性を以って無理なく支えることができる。
【実施例１】
【００１７】
次に、図１〜図５を伴って、本考案による歩行補助具の実施例１を述べよう。
本考案による歩行補助具の実施例１においては、図１に示すように、上下方向に延長している支柱１０と、その支柱１０の上端部に取り付けられている脇当て部２０と、支柱１０の上下方向の延長途上部に取り付けられている握り部３０とを有する。
この場合、支柱１０は、図２とともに参照してより明らかなように、上部に管軸と直交する面に沿って左右方向に延長して穿設されている例えば上下２段に配列されている２個の脇当て部固定用ボルト挿通長孔１１ａと下部に管軸と直交する上下方向に間隔を置いて配列された複数の線上にそれぞれ穿設されている複数のボルト貫通孔１１ｂとを有し且つ横断面円環状であって直線状に上下方向に延長している主管体１１と、その主管体１１内にその下方から緩挿され得る外径を有し且つ管軸と直交する例えば１つの線上に穿設されている１つのボルト貫通孔１２ａとを有し且つ横断面円環状を有して上下方向に直線状に延長している副管体１２とを有し、主管体１１内にその下方から副管体１２の上端部を緩挿し、その副管体１２のボルト貫通孔１２ａを主管体１１の上下方向に配列されている複数のボルト貫通孔１１ｂ中の選択された１つに合わせ、その状態で、別途予め用意されたボルト１３ａをボルト貫通孔１２ａ及び１１ｂに貫通し、そのボルト１３ａの遊端にナット１３ｂを螺着し、そのナット１３ｂを締め付けることによって、主管体１１と副管体１２とが、主管体１１に副管体１２が予め調整された上下長を以って継ぎ足されている態様で一体化されている構成を有し、よって、支柱１０が上下方向に直線状に伸縮自在に延長している構成を有する。なお、図においては、副管体１２の下遊端面が滑り止め用板１４によって閉塞されている場合が示されている。
【００１８】
また、脇当て部２０は、図３を参照してより明らかなように、左右方向に延長している例えば断面円形の棒状の脇当て部本体２１と、上述した支柱１０の主管体１１の上端部を緩挿し得る内径を有して横断面円環状であり且つ上端板２２ａを有するとともに支柱１０の主管体１１に上下２段に形成されている２個のボルト挿通長孔１１ａにそれぞれ対応している管軸と直交する上下２段に配列されている２本の線上にそれぞれ形成されている２個の母螺２２ｂとを有する上下方向に直線状に延長している脇当て部管体２２と、その脇当て部管体２２の上端外周面左部及び上端外周面右部からそれらにそれぞれ連結して左上方及び右上方にそれぞれ延長し次でともに上方に連続延長して脇当て部本体２１の左端及び右端までそれぞれ延長してそれらにそれぞれ連結している脇当て部左支杆２３Ｌ及び脇当て部右支杆２３Ｒとを有し、脇当て部管体２２を支柱１０の主管体１１の上端部の周りに上方から脇当て部管体２２の上端板２２ａが主管体１１の上端面と当接し、脇当て部管体２２の２個の母螺２２ｂが支柱１０の主管体１１の２個のボルト挿通長孔１１ａにそれぞれ合っている状態になるまで緩挿し、その状態で、別途予め用意された２個のボルト２４を脇当て部管体２２の２個の母螺２２ｂにそれぞれ螺着して主管体１１の２個のボルト挿通長孔１１ａ内にそれぞれ緩挿することによって、支柱１０の主管体１１の上端部に上下方向には可動し得ないが主管体１１の周りに可動自在に固定して取り付けられている構成を有し、よって脇当て部２０が左右方向に延長している脇当て部本体２１を有するとともに、支柱１０の上端部の周りに、脇当て部本体２１とともに、上下方向には可動し得ないが支柱１０の上端部の周りに可動自在に取り付けられている構成を有する。
【００１９】
さらに、握り部３０は、図４を参照してより明らかなように、左右方向に延長している例えば棒状の握り部本体３１と、上述した支柱１０の主管体１１の上下方向の延長途上部を緩挿する内径を有する横断面オープンリング状の上下方向に延長している環部３２ａとその横断面でみた両端からともに外後方に相対向して延長し且つ上下方向に間隔をおいた複数図においては２個の位置をそれぞれ通って左右方向に延長している２本の線上にそれぞれ穿設されているボルト貫通孔３３ｂＬ及び３３ｂＲをそれぞれ有する左板部３２ｂＬ及び右板部３２ｂＲとを有する握り部取付具３２と、その握り部取付具３２の環部３２ａの外面左部及び外面右部からそれらにそれぞれ連結して前左下方及び前右下方にそれぞれ延長し次でともに前下方に連続延長して握り部本体３１の左端及び右端までそれぞれ延長してそれらにそれぞれ連結している握り部左支杆３４Ｌ及び握り部右支杆３４Ｒとを有し、握り部取付具３２の環部３２ａを支柱１０の主管体１１の延長途上部の周りに上下方向の位置と回動位置とを調整して配し、その状態で、握り部取付具３２の左板部３２ｂＬ及び右板部３２ｂＲにそれぞれ穿設されているボルト貫通孔３３ｂＬ及び３３ｂＲに別途予め用意されたボルト３５ａを挿通し、そのボルト３５ａの遊端にナット３５ｂを螺着し、そのナット３５ｂを締め付けることによって、支柱１０に固定して取り付けられている構成を有し、よって、握り部３０が、左右方向に延長している握り部本体３１を有するとともに、支柱１０の上下方向の延長途上部の周りに、握り部本体３１とともに、上下方向に可動自在に且つ支柱１０の延長途上部の周りに、握り部本体３１が支柱１０の上下方向の延長途上部から歩行補助具の側面からみた脇当て部２０の脇当て部本体２１と支柱１０の下遊端とを結ぶ線から歩行補助具の使用時における使用者の胴体側とは反対側の外側に大きく離れて位置するように取り付けられている構成を有する。
【００２０】
以上が本考案による歩行補助具の実施例１の構成である。
このような構成を有する本考案による歩行補助具の実施例１によれば、特許文献１に提案されている歩行補助具の場合と同様に、上下方向に延長している支柱１０とその支柱１０の上端部に取り付けられている脇当て部２０と支柱１０の上下方向の延長途上部に取り付けられている握り部３０とを有する構成を有するとともに、脇当て部２０及び握り部３０が脇当て部本体２１及び握り部本体３１をそれぞれ有するので、特許文献１に提案されている歩行補助具の場合に準じて且つ図５に模式的に示すように、握り部３０の握り部本体３１を使用者の手で握り、且つ脇当て部２０の脇当て部本体２１を使用者の脇下に当てることによって、使用者の体を、使用者の腕と脇との双方で支えることができ、このため、腕力の弱い使用者でもその使用者の体を支えることができ、また使用者の脇下に下方から無理な締付け力を加えることなしに使用者の体を支えることができる。
【００２１】
また、本考案による歩行補助具の実施例１によれば、支柱１０が上下方向に直線状に伸縮自在に延長している構成を有するとともに、脇当て部２０が、左右方向に延長している脇当て部本体２１を有するとともに、支柱１０の上端部に上下方向には可動し得ないが支柱１０の上端部の周りに回動自在に取り付けられている構成を有するので、歩行補助具の使用前において、支柱１０の上下方向の長さを予め調整して置くことができ、また、歩行補助具の使用時において、脇当て部２０の脇当て部本体２１の支柱１０の上端部に対する回動位置が脇下の向きに応じて自動的に調整されるので、歩行補助具の使用時、使用者の脇下に、脇当て部２０を、使用者の自然に近い姿勢で、脇下に無理な締付け力を加えることなしに当てることができる。
【００２２】
さらに、本考案による歩行補助具の実施例１によれば、握り部３０が、左右方向に延長している握り部本体３１を有するとともに、支柱１０の上下方向の延長途上部に、握り部本体３１とともに、上下方向に可動自在に且つ支柱の上下方向の延長途上部の周りに回動自在に、握り部本体３１が支柱１０の上下方向の延長途上部から歩行補助具の側面からみて脇当て部２０の脇当て部本体２１と支柱１０の下遊端とを結ぶ線から歩行補助具の使用時における使用者の胴体側とは反対側の外側に大きく離れて位置するように取り付けられている構成を有するので、歩行補助具の使用前において、握り部３０の、支柱１０の延長途上部に対する上下位置と回動位置とを予め調整し置くことができるとともに、特許文献１に提案されている歩行補助具の場合に準じて、歩行補助具の使用時において、使用者が、握り部３０の握り部本体３１を、手で手首を肘を不自然に内側（使用者の胴体側）に大きく曲げることなしに、支柱１０の下先端を使用者の足下から大きく離して位置させることなしに、しっかり握ることができるので、歩行補助具の使用時、使用者の身体を、特許文献１に提案されている歩行補助具の場合に比しより安全に支えることができる。
【００２３】
以上のことから、本考案による歩行補助具の実施例１によれば、使用者の体を、支柱１０の下先端に滑りを生ぜしめたりすることなしに、特許文献１に提案されている歩行補助具の場合に比しより高い安全性を以って無理なく支えることができる。
なお、上述においては、支柱１０、脇当て部２０及び握り部３０のそれぞれについて１つの例を示したに留まり、本考案の精神を脱することなしに種々の変型変更をなし得るであろう。
【産業上の利用可能性】
【００２４】
歩行に不自由な者を使用者として、いわゆる松葉杖としても、広く利用し得る。
【図面の簡単な説明】
【００２５】
【図１】本考案による歩行補助具の実施例を示す正面図（Ａ）、右側面図（Ｂ）及び上面図（Ｃ）である。
【図２】図１に示す本考案による歩行補助具の実施例に用いている支柱を分解して示す正面図（Ａ）、右側面図（Ｂ）及び上面図（Ｃ）である。
【図３】図１に示す本考案による歩行補助具の実施例に用いている脇当て部を示す正面図（Ａ）、右側面図（Ｂ）及び上面図（Ｃ）である。
【図４】図１に示す本考案による歩行補助具の実施例に用いている握り部を示す正面図（Ａ）、右側面図（Ｂ）及び上面図（Ｃ）である。
【図５】本考案による歩行補助具の実施例の使用状態を模式的に示す正面図（Ａ）及び右側面図（Ｂ）である。
【符号の説明】
【００２６】
１０      支柱
１１      主管体
１１ａ    ボルト挿通長孔
１１ｂ    ボルト貫通孔
１２      副管体
１２ａ    ボルト貫通孔
１３ａ    ボルト
１３ｂ    ナット
１４      滑り止め用板
２０      脇当て部
２１      脇当て部本体
２２      脇当て部管体
２２ａ    上端板
２２ｂ    母螺
２３Ｌ    脇当て部左支杆
２３Ｒ    脇当て部右支杆
２４      ボルト
３０      握り部
３１      握り部本体
３２      握り部取付具
３２ａ    環部
３２ｂＬ  左板部
３２ｂＲ  右板部
３３ｂＬ  ボルト貫通孔
３３ｂＲ  ボルト貫通孔
３４Ｌ    握り部左支杆
３４Ｒ    握り部右支杆
３５ａ    ボルト
３５ｂ    ナット
【図１】
0003116653.tif 000003
【図２】
0003116653.tif 000004
【図３】
0003116653.tif 000005
【図４】
0003116653.tif 000006
【図５】
0003116653.tif 000007